(57)【要約】      （修正有）【課題】車両の狭い空間の内部に挿入される映像表示装置により投射される映像を調整する映像表示装置のマウント構造を提供する。【解決手段】映像を投射する複数の映像モジュール１００と、複数のそれぞれの映像モジュールに隣接して配置されるローテーションブラケット４００と、ローテーションブラケットが固定され、複数の映像モジュールが制御部及び映像駆動ボードに連結されたベースブラケット３００と、ローテーションブラケットとベースブラケットとの間に隣接して配置されるマウントブラケット２００と、それぞれの映像モジュールと隣接してローテーションブラケットに固定される第１反射ミラー５００と、第１反射ミラーに対向してベースブラケットの下面に位置する第２反射ミラー６００と、を含み、ベースブラケットは、高さ方向に上下移動が可能なように形成されて投射映像の高さを調整することを特徴とする。【選択図】図１
2018072804.tif 000002
【特許請求の範囲】
【請求項１】
映像を投射する複数の映像モジュールと、
複数のそれぞれの映像モジュールに隣接して配置されるローテーションブラケットと、
前記ローテーションブラケットが固定され、前記複数の映像モジュールが制御部及び映像駆動ボードに連結されたベースブラケットと、
前記ローテーションブラケットと前記ベースブラケットとの間に隣接して配置されるマウントブラケットと、
それぞれの映像モジュールと隣接して前記ローテーションブラケットに固定される第１反射ミラーと、
前記第１反射ミラーに対向して前記ベースブラケットの下面に位置する第２反射ミラーと、を含み、
前記ベースブラケットは、高さ方向に上下移動が可能なように形成されて投射映像の高さを調整することを特徴とする映像表示装置のマウント構造。
【請求項２】
前記ローテーションブラケットは、回転可能に形成されて前記映像モジュールから投射される映像を回転させることを特徴とする請求項１に記載の映像表示装置のマウント構造。
【請求項３】
前記ローテーションブラケットは、前記マウントブラケットに挿入された中心ピンを中心軸として回転が可能なことを特徴とする請求項２に記載の映像表示装置のマウント構造。
【請求項４】
前記マウントブラケットは、前記映像モジュールの映像の投射方向に水平移動が可能なように構成されるガイドボスによって平行移動し、前記投射映像の大きさの調整を行うことを特徴とする請求項１に記載の映像表示装置のマウント構造。
【請求項５】
前記マウントブラケットは、前記映像モジュールの映像の投射方向と直交する水平方向に移動が可能なように構成されるガイドボスによって水平移動し、前記投射映像の左右位置の調整を行うことを特徴とする請求項１に記載の映像表示装置のマウント構造。
【請求項６】
前記ベースブラケットは、駆動ボード及び制御部に連結されるベースに連結されたことを特徴とする請求項１に記載の映像表示装置のマウント構造。
【請求項７】
前記ローテーションブラケット、前記マウントブラケット、及び前記ベースブラケットは、固定ピンによって固定されたことを特徴とする請求項１に記載の映像表示装置のマウント構造。
【請求項８】
前記ベースブラケットは、
前記ベースブラケットの上下方向に形成されたベースボスと、
前記ベースボスに圧縮されて上方向に引張力を提供する弾性部材と、
前記第２反射ミラーを固定するミラーホルダーと、を含み、
前記ベースボスに沿って前記ベースブラケットは上下方向に移動するように構成されたことを特徴とする請求項１に記載の映像表示装置のマウント構造。
【請求項９】
Ａピラー映像表示スクリーンに映像を投射する複数の映像モジュールと、
前記複数の映像モジュールに隣接して配置されるローテーションブラケットと、
前記ローテーションブラケットを固定し、前記複数の映像モジュールが制御部及び映像駆動ボードに連結されるように構成されたベースブラケットと、
前記ローテーションブラケットと前記ベースブラケットに隣接して配置されるマウントブラケットと、
それぞれの映像モジュールに隣接して前記ローテーションブラケットに固定される第１反射ミラーと、
前記第１反射ミラーに対向して前記ベースブラケットの下面に配置される第２反射ミラーと、を含み、
前記ベースブラケットは、高さ方向に上下移動が可能なように形成されて投射映像の高さを調整することを特徴とする車両のＡピラー映像表示装置のマウント構造。
【請求項１０】
前記ローテーションブラケットは、回転が可能に形成されて前記映像モジュールから投射される映像の回転を行うことを特徴とする請求項９に記載の車両のＡピラー映像表示装置のマウント構造。
【請求項１１】
前記ローテーションブラケットは、前記マウントブラケットに挿入された中心ピンを中心軸として回転が可能に構成されたことを特徴とする請求項１０に記載の車両のＡピラー映像表示装置のマウント構造。
【請求項１２】
前記マウントブラケットは、前記映像モジュールの映像の投射方向に水平移動が可能なように構成されるガイドボスによって、平行移動し、前記投射映像の大きさの調整を行うことを特徴とする請求項９に記載の車両のＡピラー映像表示装置のマウント構造。
【請求項１３】
前記マウントブラケットは、前記映像モジュールの映像の投射方向と直交する方向に水平移動が可能なように構成されたガイドボスによって水平移動し、前記投射映像の左右位置の調整を行うことを特徴とする請求項９に記載の車両のＡピラー映像表示装置のマウント構造。
【請求項１４】
前記ベースブラケットは、駆動ボード及び制御部に連結されるベースに連結されたことを特徴とする請求項９に記載の車両のＡピラー映像表示装置のマウント構造。
【請求項１５】
前記ローテーションブラケット、マウントブラケット、及びベースブラケットは、固定ピンによって固定されたことを特徴とする請求項９に記載の車両のＡピラー映像表示装置のマウント構造。
【請求項１６】
前記ベースブラケットは、上下方向に形成されるベースボスと、
前記ベースボスに圧縮されて上方向に引張力を提供する弾性部材と、
前記第２反射ミラーを固定するミラーホルダーと、を含み、
前記ベースボスに沿って前記ベースブラケットは上下方向に移動可能に構成されたことを特徴とする請求項９に記載の車両のＡピラー映像表示装置のマウント構造。
【請求項１７】
前記映像表示スクリーンは、フレネルレンズをさらに含むことを特徴とする請求項９に記載の車両のＡピラー映像表示装置のマウント構造。
【請求項１８】
前記映像表示スクリーンは、散乱フィルム及び基板レンズを含んで構成されたことを特徴とする請求項９に記載の車両のＡピラー映像表示装置のマウント構造。
【発明の詳細な説明】
【技術分野】
【０００１】
本発明は、映像表示装置のマウント構造に係り、より詳しくは、Ａピラーやダッシュボードなどの狭い空間に挿入されて車両の内部に位置する映像表示装置により投射される映像の投射方向、左右方向、上下方向、及び回転方向に映像を調整するための映像表示装置のマウント構造に関する。
【背景技術】
【０００２】
最近、車両の視認性を向上させるために複数のカメラが車両の外側に装着されることで、車両の内部に位置する運転者または同乗者が車両の外側を確認できるようにカメラモジュールシステムを搭載する車両の研究が盛んである。
さらに、車両の外側に位置する複数のカメラから送信された映像を光学モジュールを用いて車両の内部のスクリーンに表示するための構成がなされており、車両の運転を補助し、便宜性を増大させる装置の開発にさらに拍車がかかっている。
ただし、車両のカウルトップカバーまたはダッシュボードの内部に装着される光学モジュールの構成とは異なり、車両のＡピラーまたはＢピラーの内部に装着される超小型プロジェクター光学モジュールを設置する場合は、スクリーンに投射される映像のサイズが小さくて可視性に劣る問題があった。
また、上述した超小型プロジェクターが設置されていても、車両のインテリア内部に位置しているため、可視性が確保される一定の大きさ以上の画面を投射する投射タイプの光学モジュールの構成空間を確保し難かった。
【０００３】
それだけでなく、複数の映像モジュールから適用されたスクリーンに投射される映像表示装置は、２つの映像モジュールから投射された映像の調整が難しいという問題があった。
従来技術として特許文献１では、ピコプロジェクター用投射レンズユニットを開示しているが、５枚からなるレンズアレイ、色合成プリズム、カバーガラス、及びイメージパネルからなる。
しかし、特許文献１で開示している構成によれば、超小型プロジェクターで構成される映像表示装置の装着上の問題点を解消しておらず、複数の映像モジュールを含む映像表示装置が装着される場合にもそれぞれの映像モジュールから投射される映像の調整が難しいという問題が相変らず存在する。
【先行技術文献】
【特許文献】
【０００４】
【特許文献１】韓国公開特許第１０−２００８−８１８０６号
【発明の概要】
【発明が解決しようとする課題】
【０００５】
本発明は、上述した問題点を解決するためになされたものであって、その目的とするところは、車両の狭い空間の内部に挿入される映像表示装置により投射される映像を調整することにある。
また、他の目的とするところは、狭い空間の内部に位置する映像表示装置の鮮明な投射映像を映像表示スクリーンに投射することある。
さらに、他の目的とするところは、複数の映像モジュールが連結されて構成される場合、それぞれの映像モジュールから投射される複数の映像を調整するマウント装置を提供することにある。
【課題を解決するための手段】
【０００６】
本発明の目的を達成するためになされた映像表示装置のマウント構造は、映像を投射する複数の映像モジュールと、複数のそれぞれの映像モジュールに隣接して配置されるローテーションブラケットと、ローテーションブラケットが固定され、複数の映像モジュールが制御部及び映像駆動ボードに連結されたベースブラケットと、ローテーションブラケットとベースブラケットとの間に隣接して配置されるマウントブラケットと、それぞれの映像モジュールと隣接してローテーションブラケットに固定される第１反射ミラーと、第１反射ミラーに対向してベースブラケットの下面に位置する第２反射ミラーと、を含み、ベースブラケットは、高さ方向に上下移動が可能なように形成されて投射映像の高さを調整することを特徴とする。
【０００７】
ローテーションブラケットは、回転可能に形成されて映像モジュールから投射される映像を回転させることが好ましい。
ローテーションブラケットは、マウントブラケットに挿入された中心ピンを中心軸として回転が可能なことがよい。
マウントブラケットは、映像モジュールの映像の投射方向に水平移動が可能なように構成されるガイドボスによって平行移動し、投射映像の大きさの調整を行うことができる。
【０００８】
マウントブラケットは映像モジュールの映像の投射方向と直交する水平方向に移動が可能なように構成されるガイドボスによって水平移動し、投射映像の左右位置の調整を行うことができる。
ベースブラケットは、駆動ボード及び制御部に連結されるベースに連結されることが好ましい。
ローテーションブラケット、マウントブラケット、及びベースブラケットは、固定ピンによって固定されることができる。
ベースブラケットは、ベースブラケットの上下方向に形成されたベースボスと、ベースボスに圧縮されて上方向に引張力を提供する弾性部材と、第２反射ミラーを固定するミラーホルダーと、を含み、ベースボスに沿ってベースブラケットは上下方向に移動するように構成されることがよい。
【０００９】
本発明の目的を達成するためになされた車両のＡピラー映像表示装置のマウント構造は、Ａピラー映像表示スクリーンに映像を投射する複数の映像モジュールと、複数の映像モジュールに隣接して配置されるローテーションブラケットと、ローテーションブラケットを固定し、複数の映像モジュールが制御部及び映像駆動ボードに連結されるように構成されたベースブラケットと、ローテーションブラケットとベースブラケットに隣接して配置されるマウントブラケットと、それぞれの映像モジュールに隣接してローテーションブラケットに固定される第１反射ミラーと、第１反射ミラーに対向してベースブラケットの下面に位置される第２反射ミラーと、を含み、ベースブラケットは、高さ方向に上下移動が可能なように形成されて投射映像の高さを調整することを特徴とする。
【００１０】
ローテーションブラケットは、回転が可能に形成されて映像モジュールから投射される映像の回転を行うことがよい。
ローテーションブラケットは、マウントブラケットに挿入された中心ピンを中心軸として回転が可能に構成されることが好ましい。
マウントブラケットは、映像モジュールの映像の投射方向に水平移動が可能なように構成されるガイドボスによって、水平移動し、投射映像の大きさの調整を行うことができる。
【００１１】
マウントブラケットは、映像モジュールの映像の投射方向と直交する方向に水平移動が可能なように構成されたガイドボスによって水平移動し、投射映像の左右位置の調整を行うことができる。
ベースブラケットは、駆動ボード及び制御部に連結されるベースに連結されることがよい。
ローテーションブラケット、マウントブラケット、及びベースブラケットは、固定ピンによって固定されるこが好ましい。
【００１２】
ベースブラケットは、上下方向に形成されるベースボスと、ベースボスに圧縮されて上方向に引張力を提供する弾性部材と、第２反射ミラーを固定するミラーホルダーと、を含み、ベースボスに沿ってベースブラケットは上下方向に移動可能に構成されることが好ましい。
映像表示スクリーンは、フレネルレンズをさらに含むことができる。
映像表示スクリーンは、散乱フィルム及び基板レンズを含んで構成されることがよい。
【発明の効果】
【００１３】
本発明によると、狭い空間に位置する複数の映像モジュールを提供するが、車両の内部空間に位置するさらに広い映像表示スクリーンを含んで構成され、狭い空間を効率的に使用することができる。
また、本発明は、可視性の高い広い映像表示スクリーンに映像を投影でき、表示された映像を調整してユーザの便宜を向上させる効果を有する。
さらに、本発明は、複数の映像表示装置のマウント構造が互いに連結できるように構成され、車両の仕様またはユーザの量産要求に応じて映像表示スクリーンに投射される映像のサイズを選択的に提供することができる。
【図面の簡単な説明】
【００１４】
【図１】本発明の一実施例で、映像表示装置のマウント構造を示す分解図である。
【図２】本発明の一実施例で、映像表示装置のマウント構造のローテーションブラケットを示す平面図である。
【図３】本発明の一実施例で、投射される映像の高さが調整できるベースブラケットを示す側面図である。
【図４】本発明の一実施例で、投射される映像の大きさが調整できるマウントブラケットを示す平面図である。
【図５】本発明の一実施例で、投射される映像の左右が調整できるマウントブラケットを示す平面図である。
【図６】本発明の一実施例で、２つの映像表示装置のマウント構造により投射される映像を示すイメージ図である。
【図７】本発明の一実施例で、Ａピラーに挿入構成される２つの映像表示装置のマウント構造を示す断面図である。
【図８】本発明の一実施例で、映像表示スクリーン示す断面図である。
【発明を実施するための形態】
【００１５】
以下、本発明の実施例について図面に基づき詳細に説明する。
本発明は、車両インテリアトリムの内部に位置する映像表示装置のマウント構造に関するもので、投射される映像を調整するための複数のブラケットで構成される。さらに、車両内部の狭い空間を活用するために、投射された映像を拡大する第１反射ミラー５００及び第２反射ミラー６００を使用し、映像モジュール１００から映像表示スクリーン１０００まで１５ｍｍ〜２５ｍｍ以下の位置に設けられる画面が９３ｃｍ２〜１００ｃｍ２の投射タイプの映像表示装置で構成される。
【００１６】
図１は、本発明の一実施例で、映像表示装置のマウント構造を示す分解図である。
図１に示したとおり、投射タイプの映像モジュール１００を含み、映像モジュール１００は、投射光学系と照明光学系から構成される。照明光学系は、デジタルマイクロミラーデバイス（Ｄｉｇｉｔａｌ  Ｍｉｃｒｏｍｉｒｒｏｒ  Ｄｅｖｉｃｅ：ＤＭＤ）を含み、ＤＭＤ素子で投射される映像が、投射光学系に入射されるように構成される。
映像モジュール１００は、ローテーションブラケット４００上に設置され、ローテーションブラケット４００の下に、マウントブラケット２００、ベースブラケット３００が順に配置される。
ベースブラケット３００は、車体に固定されるベース３３０に連結されて映像表示装置及び映像表示装置のマウント構造を固定する機能を有す。
ベース３３０は、映像駆動ボード７００及び車両に位置する制御部８００に連結されるが、ベースブラケット３００を介して映像モジュール１００に連結される。
【００１７】
映像駆動ボード７００は、制御部８００が受信した信号により映像モジュール１００に投射される映像を伝送する機能を有し、制御部８００は、ユーザの映像調整信号により映像表示装置を構成する複数のブラケットの調整を行う命令を送信する。
ローテーションブラケット４００は、マウントブラケット２００に挿入された中心ピン２２０を中心軸として回転が可能に構成され、ローテーションブラケット４００に固定される映像モジュール１００の投射方向を回転させることができる。
さらに、ローテーションブラケット４００は、映像モジュール１００と対向する一面に第１反射ミラー５００が固定され、映像モジュール１００から投射された映像を反射し、対向する位置に設置された第２反射ミラー６００に映像を反射するように構成される。
【００１８】
このように構成される第１反射ミラー５００は、映像モジュール１００から投影された映像を反射して、第２反射ミラー６００に送る。第１反射ミラー５００は、映像モジュール１００と水平方向の位置に５１゜〜５５゜の角度を持つて形成される。
第１反射ミラー５００で反射された映像は、第２反射ミラー６００に投影され、第２反射ミラー６００は、投影された映像を再反射して映像表示スクリーン１０００に投射する。
第２反射ミラー６００は、ベースブラケット３００の下面のミラーホルダーに位置し、ベースブラケット３００の下面に第１反射ミラー５００と対向するように形成され、第１反射ミラー５００で反射された映像を再反射して映像表示スクリーン１０００に投射する。
【００１９】
マウントブラケット２００は、ベースブラケット３００の上端に位置するガイド３２０がマウントブラケット２００上に設けられたガイドボス２１０内に挿入されることにより、ガイドボス２１０がガイド３２０に沿って移動することができる。同時に、マウントブラケット２００は、ガイドボス２１０に沿って移動が可能となる。これにより、マウントブラケット２００上に固定された映像モジュール１００が直線方向に移動が可能となる。長方形板状のマウントブラケット２００の幅方向にガイドボス２１０が設けられた場合（図４参照）、映像モジュール１００が固定されたマウントブラケット２００が、ガイドボス２１０の長さ方向（投射方向又は前後方向）に移動できるため、映像モジュール１００と映像表示スクリーン１０００の距離を変更して映像表示スクリーン１０００に投射される映像の大きさを調整できる。一方、長方形板上のマウントブラケット２００の長さ方向にガイドボス２１０が設けられた場合（図５参照）、映像モジュール１００が固定されたマウントブラケット２００が、ガイドボス２１０の長さ方向（投射方向に対する左右方向）に移動できるため、ガイドボス２１０に沿って映像モジュール１００を左右に移動することができ、スクリーン１０００に表示される映像の左右の位置を調整することができる。
さらに、固定ピン３１０がベースブラケット３００、マウントブラケット２００、及びローテーションブラケット４００を固定するために構成される固定ピン３１０を含む。固定ピン３１０は、ベースブラケット３００の後面及びローテーションブラケット４００の後面に係止される。
さらに好ましくは、本発明の一実施例では、映像モジュール１００を連結する駆動ボード１１０に固定される固定ピン３１０を含み、映像表示装置のマウント構造のそれぞれのブラケット構成を固定する機能を有す。
【００２０】
図２は、本発明の一実施例で、映像表示装置のマウント構造のローテーションブラケットを示す平面図である。図中、一点鎖線は、中心軸を中心として回転が可能な半径を示している。
本発明のローテーションブラケット４００は、ベースブラケット３００の上面に位置する中心ピン２２０と同一の中心軸を持つように構成され、時計回りまたは反時計回りの回転可能に構成される。
また、ローテーションブラケット４００の両末端に位置して回転半径を決める１つ以上のローテーションガイドボス４１０を含み、ローテーションガイドボス４１０に沿ってローテーションブラケット４００が回転することができる。
【００２１】
さらに好ましくは、本発明の一実施例において、ローテーションガイドボス４１０に沿って回転が可能なローテーションブラケット４００は、両方向に３．３゜移動が可能なように構成され、これにより、映像モジュール１００の投射角度が両方向に３．３゜移動できるように構成される。
上記のとおり、ローテーションブラケット４００は、映像モジュール１００を固定した状態に構成され、固定された映像モジュール１００を含むローテーションブラケット４００がローテーションガイドボス４１０に形成される空間に沿って回転が可能になり、これによって、映像表示スクリーン１０００に投射される映像も回転することができる。
【００２２】
図３は、本発明の一実施例で、投射される映像の高さを調整できるベースブラケットを示す側面図である。
図３に示したとおり、ベースブラケット３００は、ベースブラケット３００の上下方向に形成されたベースボス３４０有し、ベースボス３４０に圧縮されて上方向に引張力を提供する弾性部材３５０を含んで構成される。
さらに、ベースブラケット３００の下面に位置して第２反射ミラー６００を固定するミラーホルダーを含み、第２反射ミラー６００で反射された投射映像を、映像表示スクリーン１０００に投射する。
上記の通り、ベースボス３４０に沿って上部ベースブラケット３００と下部ベースブラケット３００が組み合わされ、ベースボス３４０に沿ってベースブラケット３００は上下方向に移動することができる。これにより、ベースボス３４０の上面に隣接して形成されるローテーションブラケット４００の高さを調整することができる。すなわち、ローテーションブラケット４００に固定される映像モジュール１００の高さを調整することができる。
【００２３】
さらに好ましくは、ベースボス３４０が延長可能に構成されてベースブラケット３００の高さを調整し、ユーザの要求によりベースボス３４０の長さを調節してベースブラケット３００及び映像モジュール１００の高さを調整することができる。
また、ベースボス３４０に沿って位置する弾性部材３５０は、最初装着時、圧縮された形状を維持するが、ベースブラケット３００の上面が最も高い位置を有する状態であっても弾性部材３５０はベースブラケット３００を延長する方向に弾性力を提供するように構成される。
さらに、ベースボス３４０の位置を固定する通常の複数の構造を含むが（図示せず）、一定の高さに固定することもできる。例えば、段差を用いるか、固定ピン３１０を用いることで一定の高さに固定することができる。
本発明の他の実施例として、アクチュエータに連結される構成を含むこともでき、制御部８００の命令によってベースボス３４０を指定の高さにすることができる。
【００２４】
図４は、本発明の一実施例で、投射される映像の大きさが調整できるベースブラケットを示す平面図である。図４に示したとおり、このマウントブラケット２００は水平方向に移動が可能であることを示している。
長方形板状のマウントブラケット２００は、少なくとも１つのガイドボス２１０を含み、ガイドボス２１０には、ベースブラケット３００の上面に位置するガイド３２０が挿入される。
さらに、ガイドボス２１０は、マウントブラケット２００が直線移動が可能なように、映像表示スクリーン１０００に向かう水平方向に長く陥没した構成を含む。
【００２５】
具体的には、図４に示すとおり、マウントブラケット２００は、映像モジュール１００によって映像が投射される方向（これを前方向とする）に水平に移動が可能なガイドボス２１０を有し、ガイドボス２１０のホールは前後方向に長く形成される。
このように構成されるガイドボス２１０は、ベースブラケット３００の上面に位置するガイド３２０がガイドボス２１０内に挿入され、水平方向に移動できるように構成され、マウントブラケット２００上に固定されたローテーションブラケット４００を同時に水平方向に移動する。
上記の通りに、ローテーションブラケット４００がマウントブラケット２００と水平方向に移動すると、ローテーションブラケット４００上に固定される映像モジュール１００も映像表示スクリーン１０００方向に移動して、映像表示スクリーン１０００に投射された映像の大きさを調整することができる。
【００２６】
図５は、本発明の一実施例で、投射される映像の左右が調整できるベースブラケットを示す平面図である。図５には、長方形板状のマウントブラケット２００の長さ方向に移動が可能なマウントブラケット２００を示した。
図５に示すとおり、マウントブラケット２００は、映像モジュール１００と映像表示スクリーン１０００を結ぶ線に直交する平面方向に長く構成されるガイドボス２１０を含み、ベースブラケット３００の上面に位置するガイド３２０が挿入されて移動が可能になる。
具体的には、マウントブラケット２００がガイドボス２１０の長さだけ投射方向の左右に移動することによって、ローテーションブラケット４００上に位置する映像モジュール１００も左右に移動することができ、マウントブラケット２００は、映像表示スクリーン１０００に投射された映像を左右に移動させることができる。
【００２７】
図４及び図５に示したとおり、マウントブラケット２００は、映像モジュール１００を映像投射方向または左右方向に水平移動が可能なように選択的に構成される。本発明の一実施例として、２つの映像モジュール１００を含むように構成される映像表示装置のマウント構造において、１つの映像モジュール１００を含むマウント構造は、投射方向の移動が可能なマウントブラケット２００を構成し、他の１つの映像モジュール１００を含むマウント構造は、左右方向の移動が可能なマウントブラケット２００を採用することで、それぞれの映像モジュール１００によって投射される映像を個別に調整することができる。
具体的には、１つの映像モジュール１００を含む映像表示装置アセンブリーは、投射方向の移動が可能なマウントブラケット２００により、映像モジュール１００で投射される映像の大きさを調整でき、他の映像モジュール１００を含む映像表示装置アセンブリーは、左右方向の移動が可能なマウントブラケット２００により、映像の左右の調整を行うことができる。ユーザの要求に応じてスクリーン１０００に投射される映像の大きさ及び左右間隙を調整できる。
【００２８】
図６は、本発明の一実施例で、２つの映像表示装置のマウント構造により投射される映像を示すイメージ図である。図中、映像モジュール１００により投射される映像表示スクリーン１０００の構成を示している。
図６に示したとおり、２つの映像モジュール１００を構成する映像表示装置は、別個に構成された映像表示スクリーン１０００により映像を投射するが、２つのスクリーン１０００を隣接して構成することで、２つの映像モジュール１００から投射される１つの映像画面として眺めることができる。
さらに、複数の映像モジュール１００は、複数の映像モジュール１００に対応されるように構成されるそれぞれの映像モジュール１００にアセンブリーの形態で構成されるローテーションブラケット４００、マウントブラケット２００、及びベースブラケット３００を含んで構成され、映像表示装置の内部に複数の映像モジュール１００を含んで構成することができる。
【００２９】
したがって、それぞれの映像モジュール１００にアセンブリーの形態で結合するローテーションブラケット４００は、映像モジュール１００により投射される映像の回転を行うことができるように構成され、ベースブラケット３００は、映像の高さを調整できるように構成される。
また、それぞれの映像モジュール１００とアセンブリーの形態で構成されるマウントブラケット２００は、ユーザの便宜を考慮して投射方向の水平移動または左右方向の水平移動が可能なように選択的に構成することができる。
また他の本発明の実施例では、１つの映像表示スクリーン１０００を含み、複数の映像モジュール１００により、１つの映像表示スクリーン１０００に複数の映像を投射する構成を含むことができる。
【００３０】
図７は、本発明の一実施例で、Ａピラーの内部に装入構成される２つの映像表示装置のマウント構造を示す断面図である。
図７に示したとおり、車両のＡピラー９００の内部に設置する映像表示装置のマウント構造は、車両の室内に位置する映像表示スクリーン１０００を用いて、映像モジュール１００で投射した映像を表示する構成を開示している。
２つの映像モジュール１００を含む映像表示装置は、Ａピラー９００の内部に挿入構成されるが、２つの反射板によって、映像モジュール１００から投射される映像を拡大して映像表示スクリーン１０００に投射するように構成され、マウントブラケット２００、ローテーションブラケット４００、及びベースブラケット３００を用いて、それぞれの映像モジュール１００により投射される映像の高さ、上下左右の間隙、及び回転の調整が可能なように構成される。
【００３１】
図８は本発明の一実施例で、映像表示スクリーンを示す断面図である。
映像表示スクリーン１０００は、ポリカーボネート（Ｐｏｌｙｃａｒｂｏｎａｔｅ：ＰＣ）材質又は、アクリル材質で成形された基板レンズ１２００、散乱フィルム１１００、及びフレネルレンズ１３００の積層形態で構成され、車両の内側に映像を投影する位置に散乱フィルム１１００を配置し、映像表示装置が位置する内側に基板レンズ１２００とフレネルレンズ１３００を順次積層して構成することができる。
本発明のまた他の実施例として、車両の内側に映像を投影する位置にポリカーボネート（Ｐｏｌｙｃａｒｂｏｎａｔｅ：ＰＣ）材質又は、アクリル材質で成形される基板レンズ１２００を儲け、光学モジュールの内側に散乱フィルム１１００とフレネルレンズ１３００を順次積層して映像表示スクリーン１０００を構成することができる。
【００３２】
以上、本発明に関する好ましい実施例を説明したが、本発明の範囲は特定の実施例に限定されるものではなく、特許請求の範囲によって解釈されなければならない。また、この技術分野で通常の知識を有する者なら、本発明の技術的範囲内で多くの修正と変形ができることはいうまでもない。
【符号の説明】
【００３３】
１００  映像モジュール
１１０  駆動ボード
２００  マウントブラケット
２１０  ガイドボス
２２０  中心ピン
３００  ベースブラケット
３１０  固定ピン
３２０  ガイド
３３０  ベース
３４０  ベースボス
３５０  弾性部材
４００  ローテーションブラケット
４１０  ローテーションガイドボス
５００  第１反射ミラー
６００  第２反射ミラー
７００  映像駆動ボード
８００  制御部
９００  Ａピラー
１０００  映像表示スクリーン
１１００  散乱フィルム
１２００  基板レンズ
１３００  フレネルレンズ
【図１】
2018072804.tif 000003
【図２】
2018072804.tif 000004
【図３】
2018072804.tif 000005
【図４】
2018072804.tif 000006
【図５】
2018072804.tif 000007
【図６】
2018072804.tif 000008
【図７】
2018072804.tif 000009
【図８】
2018072804.tif 000010